(57)【要約】【課題】  反応生成物の堆積による部材交換頻度が低い気相成長装置および気相成長基板の製造方法を提供する。【解決手段】  容器１１と、容器１１に収納された半導体基板１２をフェースダウンで原料ガスの流れ方向に対して傾けて周方向に配設するとともに、半導体基板１２をそれぞれ自転および公転可能に保持するホルダ１３、サセプタ１４、外周リング１５と、半導体基板１２を結晶成長面と反対側から加熱するヒータ１６と、半導体基板１２に原料ガスをサセプタ１４の中心部から外周部に向かって放射状に供給するノズル１７とを具備する。半導体基板１２を傾斜させることにより、ホルダ１３、サセプタ１４に反応生成物が堆積して半導体基板１２との間に生じる段差による原料ガス流れの乱れを抑制して半導体基板１２の外周部の結晶欠陥の発生を遅延させ、部材交換頻度を低くする。【選択図】  図１
2007311558.tif 000002
【特許請求の範囲】
【請求項１】
容器と、
前記容器に収納された半導体基板をフェースダウンで原料ガスの流れ方向に対して傾けて周方向に配設するとともに、前記半導体基板を公転可能に保持する保持手段と、
前記半導体基板を結晶成長面と反対側から加熱する加熱手段と、
前記半導体基板に前記原料ガスを前記保持手段の公転中心部から外周部に向かって放射状に供給するガス供給手段と、
を具備することを特徴とする気相成長装置。
【請求項２】
前記半導体基板が公転しながら自転していることを特徴とする請求項１に記載の気相成長装置。
【請求項３】
前記保持手段が、
中央部に対して所定の角度傾いた傾斜面を有する外周部に第１貫通孔が周方向に配設された傘状のサセプタと、
前記第１貫通孔に嵌合し、鍔状の外周部側面に歯車状の第１溝が形成され、内部にすり鉢状の第２貫通孔が形成され、前記半導体基板を前記第２貫通孔内に収納するホルダと、
内周側面に前記歯車状の第１溝と歯合する歯車状の第２溝が形成され、前記サセプタの外周に同軸的に配置された外周リングと、
を具備することを特徴とする請求項２に記載の気相成長装置。
【請求項４】
前記半導体基板の結晶成長面に対向する前記原料ガス流路側の面が、前記半導体基板側に傾斜していることを特徴とする請求項１乃至請求項３のいずれか１項に記載の気相成長装置。
【請求項５】
容器内に複数の半導体基板をフェースダウンで原料ガスの流れ方向に対して傾けて収納する工程と、
前記半導体基板を公転させながら所定の温度に加熱し、前記原料ガスを前記公転中心部から外周部に向かって放射状に供給して、前記半導体基板上に半導体膜を形成する工程と、
を具備することを特徴とする気相成長基板の製造方法。
【発明の詳細な説明】
【技術分野】
【０００１】
本発明は、気相成長装置および気相成長基板の製造方法に関する。
【背景技術】
【０００２】
半導体発光素子および半導体レーザ素子などの光半導体装置は化学気相成長装置、例えばＭＯＣＶＤ（Metal Organic Chemical Vapor Deposition）装置を用いてクラッド層や発光層などの材質の異なった複数の半導体薄膜を順次成長させることにより製造される。
【０００３】
従来、結晶成長面を下側にして半導体基板をサセプタ上に配置するフェースダウン方式の気相成長装置が知られている（例えば、特許文献１または特許文献２参照。）。
【０００４】
特許文献１に開示された気相成長装置は、半導体基板の結晶成長面を下向きにして保持するとともに、半導体基板を公転させながら自転させている。これにより、半導体基板の温度均一性や薄膜の膜厚均一性を向上させている。
【０００５】
しかしながら、特許文献１に開示された気相成長装置は、反応生成物が部材上に堆積すると半導体基板の結晶成長面との間に生じる段差に起因して、半導体基板の外周部に結晶欠陥が発生するという問題がある。
【０００６】
その結果、半導体基板の外周部の結晶欠陥を防止するために、反応生成物が堆積した部材を定期的に交換しなければならないという問題がある。
【０００７】
特許文献２に開示された気相成長装置は、回転する板状のサセプタに、複数の半導体基板を周方向に配し、且つ成長面をガス流路側に向けて支持し、サセプタの直径方向に原料ガスを流し、半導体基板の結晶成長面を原料ガスの流れ方向に対して傾けて設置している。
【０００８】
半導体基板の結晶成長面を原料ガスの流れ方向に対して平行にセットすると、上流側から供給された原料ガスはそのほとんどがサセプタより上流側で分解してしまう。  
しかし、半導体基板を傾けることにより、上流側では原料ガスが半導体基板の結晶成長面に当たりにくくなるため、成長する半導体薄膜の膜厚が減少し、上流側での原料の消費が減少する。  
下流側では原料ガスが半導体基板の結晶成長面に当たりやすくなるとともに、上流側での原料の消費が減少して未分解の原料ガスが多く供給されるようになるので、成長する半導体薄膜の膜厚が厚くなる。これにより、半導体薄膜の膜厚の面内均一性を向上させている。
【０００９】
然しながら、特許文献２に開示された気相成長装置は、半導体薄膜の膜厚均一性向上のために半導体基板を傾けるものであり、半導体基板が公転しながら自転している場合には半導体基板を傾ける必要は生じない。また、サセプタやホルダなどの部材上に堆積する反応生成物の影響については何ら開示していない。
【特許文献１】特開平９−１６２１２８号公報
【特許文献２】特開２００４−２０７５４５号公報
【発明の開示】
【発明が解決しようとする課題】
【００１０】
本発明は、反応生成物の堆積による部材交換頻度が低い気相成長装置および気相成長基板の製造方法を提供する。
【課題を解決するための手段】
【００１１】
本発明の一態様の気相成長装置は、容器と、前記容器に収納された半導体基板をフェースダウンで原料ガスの流れ方向に対して傾けて周方向に配設するとともに、前記半導体基板を公転可能に保持する保持手段と、前記半導体基板を結晶成長面と反対側から加熱する加熱手段と、前記半導体基板に前記原料ガスを前記保持手段の公転中心部から外周部に向かって放射状に供給するガス供給手段とを具備することを特徴としている。
【００１２】
また、本発明の一態様の気相成長基板の成長方法は、容器内に複数の半導体基板をフェースダウンで原料ガスの流れ方向に対して傾けて収納する工程と、前記半導体基板を公転させながら所定の温度に加熱し、前記原料ガスを前記公転中心部から外周部に向かって放射状に供給して、前記半導体基板上に半導体膜を形成する工程とを具備することを特徴としている。
【発明の効果】
【００１３】
本発明によれば、反応生成物の堆積による部材交換頻度が低い気相成長装置および気相成長基板の製造方法が得られる。
【発明を実施するための最良の形態】
【００１４】
以下、本発明の実施例について図面を参照しながら説明する。
【実施例１】
【００１５】
本発明の実施例１に係る気相成長装置について図１乃至図５を用いて説明する。図１は本実施例の気相成長装置の構成を示す断面図、図２はサセプタを示す図で、図２（ａ）はその平面図、図２（ｂ）は図２（ａ）のＡ−Ａ線に沿って切断し矢印方向に眺めた断面図、図３はホルダを示す図で、図３（ａ）はその平面図、図３（ｂ）は図３（ａ）のＢ−Ｂ線に沿って切断し矢印方向に眺めた断面図である。
【００１６】
図４は外周リングを示す図で、図４（ａ）はその平面図、図４（ｂ）は図４（ａ）のＣ−Ｃ線に沿って切断し矢印方向に眺めた断面図、図５は傾斜して公転しながら自転する半導体基板を示す図で、図５（ａ）はその平面図、図５（ｂ）は図５（ａ）のＤ−Ｄ線に沿って切断し矢印方向に眺めた断面図である。
【００１７】
図１に示すように、本実施例の気相成長装置１０は内部を減圧可能に構成された容器１１と、容器１１に収納された複数の半導体基板１２をフェースダウンで原料ガスの流れ２７ａ、２７ｂ方向に対して傾けて周方向に配設するとともに、半導体基板１２をそれぞれ自転および公転可能に保持するためのホルダ１３、サセプタ１４、外周リング１５（保持手段）と、半導体基板１２を結晶成長面と反対側から加熱するヒータ１６（加熱手段）と、原料ガスを半導体基板１２にサセプタ１４の中心部から外周部に向かって放射状に供給するノズル１７（ガス供給手段）と、を具備している。
【００１８】
容器１１は、半導体基板１２上に半導体薄膜を形成するための処理室であり、例えば水冷ジャケット構造のステンレス製容器で、底部にガス流入口１８と、底部の両側にガス排気口１９ａ、１９ｂと、サセプタ１４を回転して半導体基板１２を公転させる回転軸２０を保持し、容器１１内部の気密を維持するための気密シール部（図示せず）が設けられている。
【００１９】
ガス流入口１８は、配管２１を介して半導体薄膜を形成するための原料ガスを供給するガス制御装置２２に連通されている。  
ガス排気口１９ａ、１９ｂはガス排気管（図示せず）を介して排気装置（図示せず）に連通されている。排気されたガスは除害装置（図示せず）により処理された後に、大気中に排出される。
【００２０】
ヒータ１６は、例えば炭化珪素（ＳｉＣ）で被覆されたリング状のカーボン製ヒータで、サセプタ１４の上方に半導体基板１２の裏面と対向するように配置されている。  
ヒータ１６の上方に配置された熱遮蔽板２３は、ヒータ１６の熱が直接容器１１の天板を加熱するのを防止するとともに、サセプタ１４側へ熱を反射させて半導体基板１２の加熱効率を高めるように機能している。
【００２１】
半導体基板１２の温度は、ヒータ１６に設けられたほぞ状の孔（図示せず）に絶縁部材（図示せず）を介して嵌入された熱電対１６ａにより間接的にモニターされる。  
熱電対が検出したヒータ１６の温度は、温度調節器２４に入力される。温度調節器２４は、熱電対１６ａの検出した温度と温度目標値とが等しくなるようにサイリスタ２５を駆動してヒータ１６の加熱電力を制御している。  
従って、半導体基板１２の温度は、ヒータ１６の温度を適正に変更することにより制御される。
【００２２】
ノズル１７から放出されたガスは、サセプタ１４とガス整流板２６との間をサセプタ１４の中心部から外周部に向かって放射状に流れ、層状のガス流れ２７ａ、２７ｂを生成する。
【００２３】
回転軸２０は、例えばステンレス製のシャフトで、下部に連結された回転手段（図示せず）によりサセプタ１４を水平方向に回転し、半導体基板１２を公転させている。  
ガス整流板２６は回転軸２０に取り付けられており、サセプタ１４と連動して回転している。
【００２４】
外周リング１５は、サセプタ１４の外周に同軸的に配置され、筒状の支持部２８上に固定されている。
【００２５】
ホルダ１３の外周部側面には歯車状の第１溝（図示せず）が形成され、外周リング１５の内周側面には歯車状の第１溝と歯合する歯車状の第２溝（図示せず）が形成されている。
【００２６】
サセプタ１４が回転すると、ホルダ１３が歯車状の第１および第２溝の歯合により回転し、半導体基板１２を自転させることができる。  
ホルダ１３の第１溝の歯数と外周リング１５の第２溝の歯数との比が１：ｎの場合に、サセプタ１４が１回転する間に、ホルダ１３がｎ回転する。
【００２７】
具体的には、図２に示すように、サセプタ１４は、例えば炭化珪素（ＳｉＣ）が被覆されたカーボン材で、外周部１４ａが中央部１４ｂに対して所定の角度θ傾いた傘状をしており、外周部１４ａと中央部１４ｂとの境には段差１４ｃが形成されている。
【００２８】
サセプタ１４の外周部１４ａには、ホルダ１３を装着するための複数の第１貫通孔４０が周方向に配設されている。
【００２９】
図３に示すように、ホルダ１３は、例えば炭化珪素（ＳｉＣ）が被覆されたカーボン材で、内側面がテーパ状の第２貫通孔４１が形成された筒状の胴部４２と、側面に歯車状の第１溝４３が形成された鍔状の外周部４４と、胴部４２の下面に内部に向かって僅かに突出した爪４５を有している。
【００３０】
半導体基板１２は、ホルダ１３の第２貫通孔４１内に収納され、爪４５で保持されている。ホルダ１３の胴部４２はサセプタ１４の第１貫通孔４０に嵌合し、半導体基板１２の結晶成長面がサセプタ１４の外周部１４ａの傾斜面と一致するように位置している。
【００３１】
図４に示すように、外周リング１５は、例えば炭化珪素（ＳｉＣ）が被覆された炭素材で、内周側面に歯車状の第１溝と歯合する歯車状の第２溝４６が形成されたリングで、サセプタ１４の周りに同軸的に配置されている。
【００３２】
これにより、図５に示すように、ホルダ１３、サセプタ１４、外周リング１５を有する保持手段により、半導体基板１２を原料ガス流れ２７ａ、２７ｂ方向に対して傾けて、自転および公転させることが可能である。
【００３３】
図６は気相成長中の半導体基板１２の外周部におけるガス流れを従来例と比較して示す図で、図６（ａ）が本実施例の場合、図６（ｂ）が従来例の場合である。
【００３４】
従来例の場合を先に説明する。図６（ｂ）に示すように、気相成長によりホルダ５２およびサセプタ５３の原料ガス流れ側の面上に反応生成物５４ａ、５４ｂが堆積し、基板１２とホルダ５２上に堆積した反応生成物５４ａとの間に段差５５が形成される。段差５５は、気相成長を繰り返すにつれ反応生成物５４ａが蓄積されて大きくなる。
【００３５】
段差５５が大きくなるにつれ、段差５５が障害となり原料ガス流れに乱れが生じ、半導体基板１２の外周部に十分到達することができなくなる。
【００３６】
その結果、半導体基板１２の外周部では、原料ガスの組成が変化し、半導体基板１２の外周部に所謂ハッチと呼ばれる結晶欠陥が発生する。
【００３７】
一方、図６（ａ）に示すように、本実施例でも気相成長によりホルダ１３およびサセプタ１４の原料ガス流れ側の面上に反応生成物５０ａ、５０ｂが堆積し、基板１２とホルダ１３上に堆積した反応生成物５０ａとの間に段差５１が形成されることは同様である。
【００３８】
しかし、半導体基板１２が原料ガス流れ方向に対して角度θだけ傾斜しているので、その分、原料ガス流れの乱れが抑えられ、原料ガスは半導体基板１２の外周部に到達しやすくなる。
【００３９】
その結果、半導体基板１２の外周部における原料ガスの組成の変化が抑制され、半導体基板１２の外周部に所謂ハッチと呼ばれる結晶欠陥の発生を防止することができる。
【００４０】
図７は得られた気相成長基板を従来例と比較して示す図で、図７（ａ）が本実施例の場合、図７（ｂ）が従来例の場合である。
【００４１】
図７（ａ）に示すように、本実施例では外周部に結晶欠陥のない気相成長基板６０が得られる。  
一方、図７（ｂ）に示すように、従来例では外周部に、幅Ｗが３ｍｍ程度の、所謂ハッチと呼ばれる結晶欠陥６１を有する気相成長基板６２が得られる。
【００４２】
図８は反応性生物が堆積したホルダおよびサセプタの交換頻度を従来例と比較して示す図である。
【００４３】
図８に示すように、実験によれば、従来例では、段差５５が３００μｍ程度になると半導体基板１２の外周全体に幅３ｍｍ程度の結晶欠陥の発生がみられるようになった。  
従って、１回の気相成長における反応生成物５４ａ、５４ｂの厚さが、例えば３μｍ程度なので、気相成長を１０回繰り返すと段差５４が３００μｍ程度に達し、ホルダ５２、サセプタ５３の交換が必要になる。
【００４４】
一方、本実施例では半導体基板１２を、例えば１０°程度傾けた場合に、段差５１が６００μｍ程度になるまでは、半導体基板１２に結晶欠陥の発生がみられなかった。  
従って、１回の気相成長における反応生成物５０ａ、５０ｂの厚さが、例えば３μｍ程度なので、気相成長を２０回繰り返し段差５１が６００μｍ程度に達したときに、ホルダ１３、サセプタ１４を交換すればよい。
【００４５】
従って、本実施例は従来例に比べて、反応生成物が堆積したホルダ１３、サセプタ１４の交換頻度を減らすことが可能である。
【００４６】
図９は本実施例の気相成長装置１０を用いた気相成長基板７０の製造工程を示すフローチャート、図１０は気相成長基板７０およびそれを用いた光半導体装置８４の構造を示す断面図である。  
本実施例は、ＧａＡｓ基板上にＩｎＧａＡｌＰ系の発光層を含む半導体薄膜を成長し、可視発光ダイオードを製造する場合の例である。
【００４７】
図９に示すように、はじめに容器１１内に半導体基板１２をガス流れ方向に対して１０°傾いたサセプタ１４に基板を載せたホルダ１３をセットし（ステップＳ０１）、サセプタ１４を回転させ、半導体基板１２を、例えば１０ｒｐｍで公転させながら５０ｒｐｍで自転させる（ステップＳ０２）。
【００４８】
次に、キャリアガスとして水素ガスとＧａＡｓ基板からＡｓの揮発を抑制するためにアルシン（ＡｓＨ３）ガスを流しながら、ヒータ１６により半導体基板１２を半導体薄膜の成長温度に加熱する（ステップＳ０３）。
【００４９】
次に、原料ガスとして、III族ガスのトリメチルガリウム（ＴＭＧ）、トリメチルアルミニウム（ＴＭＡ）、トリメチルインジウム（ＴＭＩ）、Ｖ族ガスのアルシン、フォスヒン（ＰＨ３）、ｐ型ドーパントガスのジメチル亜鉛（ＤＭＺ）、ｎ型ドーパントガスのシラン（ＳｉＨ４）を適宜流しながら、ＧａＡｓ基板上にＧａＡｓバッファ層からキャップ層までを順次成長させる（ステップＳ０４）。
【００５０】
即ち、図１０（ａ）に示すように、ｎ−ＧａＡｓ基板７１上に、ｎ−ＧａＡｓバッファ層７２と、ｎ−ＩｎＡｌＰとｎ−ＩｎＧａＡｌＰを交互に積層した光反射層７３と、ｎ−ＩｎＡｌＰクラッド層７４と、ＩｎＧａＰとＩｎＧａＡｌＰを交互に積層したＭＱＷ（Multiple Quantum Well）活性層７５と、ｐ―ＩｎＡｌＰクラッド層７６と、ｐ―ＧａＡｌＡｓ電流拡散層７７と、ｐ―ＩｎＧａＡｌＰ耐湿層７８と、ｐ―ＧａＡｓコンタクト層７９と、ｎ―ＩｎＧａＡｌＰ電流ブロック層８０と、ＩｎＧａＡｌＰキャップ層８１を順次積層して気相成長基板７０を形成する。
【００５１】
次に、気相成長基板７０を冷却して、容器１１から気相成長基板７０を取り出し（ステップ０５）、同一ホルダ１３およびサセプタ１４を使用して所定回数、例えば２０回気相成長を行なったかをチェックする。  
所定回数に達していない場合に、ステップＳ０１へ戻り、同一ホルダ１３およびサセプタ１４を使用して気相成長を繰り返す。  
一方、所定回数に達した場合に、ホルダ１３およびサセプタ１４を反応生成物が堆積していないホルダ１３およびサセプタ１４と交換する。
【００５２】
次に、更に気相成長を続けるか否かがチェックされ、気相成長を続ける場合に、交換したホルダ１３およびサセプタ１４を使用して気相成長を繰り返す。一方、気相成長を続けない場合に、気相成長基板７０の製造を終了する。
【００５３】
次に、図１０（ｂ）に示すように、得られた気相成長基板７０にｐ側電極８２およびｎ側電極８３が形成され、光半導体装置８４が製造される。  
即ち、気相成長基板７０のキャップ層８１をエッチングにより除去し、中央部にのみ電流ブロック層８０を残置して電流ブロック層８０をエッチングにより除去した後、コンタクト層７９上にｐ側電極８２を形成し、ｐ側電極８２が形成されていないコンタクト層７９をエッチングにより除去する。また、ｎ−ＧａＡｓ基板７１の裏面にはｎ側電極８３を形成する。
【００５４】
次に、ｐ側電極８２およびｎ側電極８３が形成された気相成長基板７０をダイサーによりダイシングして、個々のチップに分割することにより、例えばサイズが３００μｍ角の光半導体装置８４が得られる。
【００５５】
図１１は気相成長基板７０の膜厚分布を従来例１および従来例２と比較して示す図で、図１１（ａ）が本実施例の場合、図１１（ｂ）が従来例１の場合、図１１（ｃ）が従来例２の場合である。
【００５６】
図１１に示すように、本実施例は、半導体基板１２が原料ガスの流れ方向に対して傾斜していても半導体基板１２を公転させながら自転させているので、膜厚均一性を損なうこと無く、従来例１および従来例２と同様に膜厚均一性の高い半導体薄膜を成長させることができる。
【００５７】
以上説明したように、本実施例の気相成長装置１０は、半導体基板１２をフェースダウンで原料ガスの流れ方向に対して傾けるとともに、半導体基板１２を公転させながら自転させている。
【００５８】
その結果、ホルダ１３およびサセプタ１４上に堆積した反応性生物と半導体基板１２の結晶成長面との間の段差５１による原料ガスの流れの乱れが抑制され、半導体基板１２の外周部に結晶欠陥６１が生じるのを遅延させることができる。  
従って、反応生成物が堆積した部材の交換頻度を低くすることができ、稼働率の高い気相成長装置１０が得られる。
【００５９】
ここでは、半導体基板１２の傾斜角度θが１０°の場合について説明したが、一般に５°乃至１５°程度が適当である。
【実施例２】
【００６０】
図１２は本発明の実施例２に係る気相成長装置９０の構成の要部を示す断面図である。本実施例において、上記実施例１と同一の構成部分には同一符号を付してその説明は省略し、異なる部分についてのみ説明する。
【００６１】
本実施例が実施例１と異なる点は、半導体基板の結晶成長面に対向するガス整流板が半導体基板側に傾斜していることにある。
【００６２】
即ち、図１２に示すように、本実施例の気相成長装置９０は、外周部９１ａが中央部９１ｂに対して角度θ２だけ半導体基板１２側に傾斜したガス整流板９１を具備している。
【００６３】
外周部９１ａが傾斜したガス整流板９１により、原料ガスの下流側の流路が狭くなり、原料ガスは半導体基板１２の結晶成長面に向かうので、半導体基板１２の傾斜角度θを実質的に大きくしたことになる。  
即ち、基板半導体基板１２の傾斜角度θは、近似的にサセプタ１４の外周部１４ａの傾斜角度θ１とガス整流板９１の外周部９１ａの傾斜角度θ２の和で表わすことができる。
【００６４】
その結果、半導体基板１２の外周部に対する原料ガス流れの乱れを更に抑制することが可能である。
【００６５】
以上説明したように、本実施例に係る気相成長装置９０は、外周部９１ａが傾斜したガス整流板９１を具備している。その結果、半導体基板１２の傾斜角度θを実質的に大きくすることができる利点がある。
【００６６】
従って、半導体基板１２の目的の傾斜角度θを得るのに、ガス整流板９１の外周部９１ａの傾斜角度θ２を大きくして、サセプタ１４の外周部１４ａの傾斜角度θ１を小さくすることもできる。
【図面の簡単な説明】
【００６７】
【図１】本発明の実施例１に係る気相成長装置の構成を示す断面図。
【図２】本発明の実施例１に係るサセプタを示す図で、図２（ａ）はその平面図、図２（ｂ）は図２（ａ）のＡ−Ａ線に沿って切断し矢印方向に眺めた断面図。
【図３】本発明の実施例１に係るホルダを示す図で、図３（ａ）はその平面図、図３（ｂ）は図３（ａ）のＢ−Ｂ線に沿って切断し矢印方向に眺めた断面図。
【図４】本発明の実施例１に係る外周リングを示す図で、図４（ａ）はその平面図、図４（ｂ）は図４（ａ）のＣ−Ｃ線に沿って切断し矢印方向に眺めた断面図。
【図５】本発明の実施例１に係る傾斜して公転しながら自転する半導体基板を示す図で、図５（ａ）はその平面図、図５（ｂ）は図５（ａ）のＤ−Ｄ線に沿って切断し矢印方向に眺めた断面図である。
【図６】本発明の実施例１に係るガス流れを従来例と比較して示す図。
【図７】本発明の実施例１に係る気相成長基板を従来例と比較して示す図。
【図８】本発明の実施例１に係る部品交換頻度を従来例と比較して示す図。
【図９】本発明の実施例１に係る気相成長基板の製造方法を示すフローチャート。
【図１０】本発明の実施例１に係る気相成長基板およびそれを用いた光半導体装置の構造を示す断面図。
【図１１】本発明の実施例１に係る気相成長基板の膜厚分布を従来例と比較して示す図。
【図１２】本発明の実施例２に係る気相成長装置の構成の要部を示す断面図。
【符号の説明】
【００６８】
１０、９０  気相成長装置
１１  容器
１２  半導体基板
１３、５２  ホルダ
１４、５３  サセプタ
１４ａ、４４、９１ａ  外周部
１４ｂ、９１ｂ  中央部
１４ｃ、５１、５５  段差
１５  外周リング
１６  ヒータ
１６ａ  熱電対
１７  ノズル
１８  ガス流入口
１９ａ、１９ｂ  ガス排気口
２０  回転軸
２１  配管
２２ガス制御装置
２３  熱遮蔽板
２４  温度調節器
２５  サイリスタ
２６、９１  ガス整流板
２７ａ、２７ｂ  ガス流れ
２８  支持部
４０  第１貫通孔
４１  第２貫通孔
４２  胴部
４３  第１溝
４５  爪
４６  第２溝
５０ａ、５０ｂ、５４ａ、５４ｂ  反応生成物
７０  気相成長基板
８２  ｐ側電極
８３  ｎ側電極
８４  光半導体装置
【図１】
2007311558.tif 000003
【図２】
2007311558.tif 000004
【図３】
2007311558.tif 000005
【図４】
2007311558.tif 000006
【図５】
2007311558.tif 000007
【図６】
2007311558.tif 000008
【図７】
2007311558.tif 000009
【図８】
2007311558.tif 000010
【図９】
2007311558.tif 000011
【図１０】
2007311558.tif 000012
【図１１】
2007311558.tif 000013
【図１２】
2007311558.tif 000014